【手続補正書】
【提出日】平成15年10月23日(2003.10.23)
【手続補正１】
【補正対象書類名】明細書
【補正対象項目名】特許請求の範囲
【補正方法】変更
【補正の内容】
【特許請求の範囲】
【請求項１】
コンピュータのキーボード装置において、
上面及び底面を有するキー・パッド構造と、
キー・パッド構造の上面に相互に離間して位置する複数のキー・キャップ・メンバであって、キー・パッド構造の上面に面している底部側端周囲部と、該底部側端周囲部と境界を接しており、かつ上方に湾曲している内部部分とを有しているキー・キャップ・メンバと、
キー・パッド構造の上面に整列して支持されかつキー・キャップ・メンバの下方に配置された複数のキー支持／ガイド構造であって、各キー支持／ガイド構造は、上面を有する基部壁と、キー・パッド構造の上面に平行な方向に、キー・キャップ・メンバの底部側端周囲部の内方に該底部側端周囲部と離間している側端周囲部とを有しており、該側端周囲部はそれぞれ離間しており、かつ、該側端周囲部は、基部壁の上面よりも低い位置にあるキー・パッド構造の上面端部領域に外接するとともに該領域に向かって下方に延在している、キー支持／ガイド構造と、
キー・キャップ・メンバのそれぞれをその下方に位置するキー支持／ガイド構造に移動可能に連結するための連結手段であって、キー・キャップ・メンバがキー・パッド構造の上面から上方に離間している状態の上方伸長位置と、キー支持／ガイド構造がキー・キャップ・メンバの内部の上方に収納される状態の下方縮小位置との間のキー・ストローク距離だけ、キー・キャップ・メンバが移動可能であり、下方縮小位置にあるときに、キー・キャップ・メンバの底部側端周囲部が、キー・パッド構造の上面に近接し、かつキー支持／ガイド構造の基部壁の上面よりも低い位置にあるようにした、連結手段と、
キー・キャップ・メンバの各々を上方伸長位置に弾性的に付勢させる付勢手段と
を備えていることを特徴とするキーボード装置。
【請求項２】
請求項１記載のキーボード装置において、
キー・パッド構造は、最上層及び最下層とを有する多層構造に構成されており、
付勢手段は、各キー・キャップ・メンバの下方にある弾性的なキー・リターン・メンバであって、キー・パッド構造の最上層から上方に突出しているキー・リターン・メンバを備えている
ことを特徴とするキーボード装置。
【請求項３】
請求項２記載のキーボード装置において、
キー支持／ガイド構造は、中央部に開口を有しており、
キー・リターン・メンバは、キー支持／ガイド構造の開口を介して上方に突出する弾性を有するドーム・メンバである
ことを特徴とするキーボード装置。
【請求項４】
請求項１記載のキーボード装置において、
連結手段は、キー・キャップ・メンバとキー支持／ガイド構造とを相互に連結する、はさみ状に開閉する連結部材を含んでいる
ことを特徴とするキーボード装置。
【請求項５】
請求項１記載のキーボード装置において、キー支持／ガイド構造は、キー支持／ガイド構造及びキー・パッド構造の上に相互動作可能に結合されたロッキング手段によって、キー・パッド構造上に支持されていることを特徴とするキーボード装置。
【請求項６】
コンピュータのキーボード装置において、
上面及び底面を有するキー・パッド構造と、
キー・パッド構造の上面に相互に離間して位置する複数のキー・キャップ・メンバであって、キー・パッド構造の上面に面している底部側端周囲部と、該底部側端周囲部と境界を接しており、かつ上方に湾曲している内部部分とを有しているキー・キャップ・メンバと、
キー・パッド構造の上面に整列して支持されかつキー・キャップ・メンバの下方に配置された複数のキー支持／ガイド構造であって、各キー支持／ガイド構造は、上面と、キー・パッド構造の上面に平行な方向に、キー・キャップ・メンバの底部側端周囲部の内方に該底部側端周囲部と離間している側端周囲部とを有している、キー支持／ガイド構造と、
キー・キャップ・メンバのそれぞれをその下方に位置するキー支持／ガイド構造に移動可能に連結するための連結手段であって、キー・キャップ・メンバがキー・パッド構造の上面から上方に離間している状態の上方伸長位置と、キー支持／ガイド構造がキー・キャップ・メンバの内部の上方に収納される状態の下方縮小位置との間のキー・ストローク距離だけ、キー・キャップ・メンバが移動可能であり、下方縮小位置にあるときに、キー・キャップ・メンバの底部側端周囲部がキー・パッド構造の上面に近接するようにした、連結手段と、
キー・キャップ・メンバの各々を上方伸長位置に弾性的に付勢させる付勢手段と
を備え、
キー支持／ガイド構造は、キー支持／ガイド構造及びキー・パッド構造の上に相互動作可能に結合されたロッキング手段によって、キー・パッド構造上に支持されており、
キー・パッド構造は、最上層及び最下層とを有する多層構造に構成されており、かつ該最上層から最下層に伸び、離間して配置された複数の孔を備えており、
ロッキング手段は、キー・パッド支持／ガイド構造に依存し、離間して配置された複数のポスト・メンバであって、キー・パッド構造の孔をとおって下方に伸びて最下層の部分にロック状態に支持されるポスト・メンバを備えている
ことを特徴とするキーボード装置。
【請求項７】
請求項６記載のキーボード装置において、最下層は、上方に折り曲げられた複数のフランジ部分を有する金属製の基部プレート・メンバで構成されており、
ポスト・メンバはそれぞれ、該フランジ部分の対にスナップ結合された低部端部分を有している
ことを特徴とするキーボード装置。
【請求項８】
コンピュータ用のキーボード装置において、
最上層及び最下層を有する多層構造のキー・パッド構造と、
キー・パッド構造の最上層の上方に該最上層と平行な方向に配置された、相互に離間している複数のキー・キャップ・メンバであって、各キー・キャップ・メンバが、キー・パッド構造の最上層に面する底部側端周囲部と、該底部側端周囲部によって囲まれている上方に湾曲した部分とを有しているキー・キャップ・メンバと、
キー・パッド構造の最上層上に支持され、かつキー・キャップ・メンバの下方に位置している、離間して配置された複数のキー支持／ガイド構造であって、各キー支持／ガイド構造が、上面を有する基部壁と、キー・パッド構造の最上層に平行な方向にキー・キャップ・メンバの底部側端周囲部の内方に離間して配置された側端周囲部と、最上層を横切るように延在している中央部の開口とを有し、該側端周囲部はそれぞれ離間しており、かつ、該側端周囲部は、基部壁の上面よりも低い位置にあるキー・パッド構造の上面端部領域に外接するとともに該領域に向かって下方に延在している、キー支持／ガイド構造と、
キー・キャップ・メンバのそれぞれをその下方のキー支持／ガイド構造に移動可能に連結する、はさみ状に開閉する連結手段であって、キー・キャップ・メンバがキー・パッド構造の最上層から上方に離間している位置にある状態である上方伸長位置と、キー支持／ガイド構造がキー・キャップ・メンバの内部の上方に収納される位置にある状態である下方縮小位置との間のキー・ストローク距離だけ、キー・キャップ・メンバを移動可能にし、下方縮小位置においては、キー・キャップ・メンバの底部側端周囲部が、キー・パッド構造の最上層に近接し、かつキー支持／ガイド構造の基部壁の上面よりも低い位置にあるようにした、連結手段と、
キー・パッド構造の最上層に固定された弾性を有する離間して配置された複数のキー・リターン・メンバであって、キー支持／ガイド構造の中央部の開口を介して上方に伸びており、かつ該上方に伸びている部分に対してキー・キャップ・メンバを弾性的に付勢するように、連結手段と結合されているキー・リターン・メンバと
を備えていることを特徴とするキーボード構造。
【請求項９】
コンピュータ用のキーボード装置において、
最上層及び最下層を有する多層構造のキー・パッド構造と、
キー・パッド構造の最上層の上方に該最上層と平行な方向に配置された、相互に離間している複数のキー・キャップ・メンバであって、各キー・キャップ・メンバが、キー・パッド構造の最上層に面する底部側端周囲部と、該底部側端周囲部によって囲まれている上方に湾曲した部分とを有しているキー・キャップ・メンバと、
キー・パッド構造の最上層上に支持され、かつキー・キャップ・メンバの下方に位置している、離間して配置された複数のキー支持／ガイド構造であって、各キー支持／ガイド構造が、上面と、キー・パッド構造の最上層に平行な方向にキー・キャップ・メンバの底部側端周囲部の内方に離間して配置された側端周囲部と、最上層を横切るように延在している中央部の開口とを有しているキー支持／ガイド構造と、
キー・キャップ・メンバのそれぞれをその下方のキー支持／ガイド構造に移動可能に連結する、はさみ状に開閉する連結手段であって、キー・キャップ・メンバがキー・パッド構造の最上層から上方に離間している位置にある状態である上方伸長位置と、キー支持／ガイド構造がキー・キャップ・メンバの内部の上方に収納される位置にある状態である下方縮小位置との間のキー・ストローク距離だけ、キー・キャップ・メンバを移動可能にし、下方縮小位置においては、キー・キャップ・メンバの底部側端周囲部が、キー・パッド構造の最上層に近接している、連結手段と、
キー・パッド構造の最上層に固定された弾性を有する離間して配置された複数のキー・リターン・メンバであって、キー支持／ガイド構造の中央部の開口を介して上方に伸びており、かつ該上方に伸びている部分に対してキー・キャップ・メンバを弾性的に付勢するように、連結手段と結合されているキー・リターン・メンバと
を備え、
キー・パッド構造は、該構造の最上層から最下層まで伸びている、離間して配置された複数の孔を備えており、
キー支持／ガイド構造は、キー支持／ガイド構造及びキー・パッド構造上に相互動作可能に結合されたロッキング手段によって、キー・パッド構造上に支持されており、該ロッキング手段は、キー支持／ガイド構造に依存する、離間して配置された複数のポスト・メンバであって、キー・パッド構造の孔を介して下方に伸びて最下層の部分にロック状態で支持されるポスト・メンバを備えていることを特徴とするキーボード装置。
【請求項１０】
請求項９記載のキーボード装置において、
キー・パッド構造の最下層は、上方に折り曲げられた複数のフランジ部分を有する金属製の基部プレート・メンバで構成されており、
ポスト・メンバはそれぞれ、フランジ部分の対にスナップ結合された低部端部分を有している
ことを特徴とするキーボード装置。
【請求項１１】
ポータブル・コンピュータにおいて、
上面部分を有している基部ハウジング部と、
基部ハウジングに旋回可能に固定された蓋ハウジング部であって、蓋ハウジング部が基部ハウジング部の上面部分をカバーする位置である閉鎖位置と、蓋ハウジング部が該上面部分をカバーしない位置である開放位置との間で、旋回可能に支持されている蓋ハウジング部と、
基部ハウジング部の上面部分に沿って配置されたキーボード装置であって、
（ａ）上面及び底面を有するキー・パッド構造と、
（ｂ）キー・パッド構造の上面に相互に離間して位置する複数のキー・キャップ・メンバであって、キー・パッド構造の上面に面している底部側端周囲部と、該底部側端周囲部と境界を接しており、かつ上方に湾曲している内部部分とを有しているキー・キャップ・メンバと、
（ｃ）キー・パッド構造の上面に整列して支持されかつキー・キャップ・メンバの下方に配置された複数のキー支持／ガイド構造であって、各キー支持／ガイド構造は、上面を有する基部壁と、キー・パッド構造の上面に平行な方向に、キー・キャップ・メンバの底部側端周囲部の内方に該底部側端周囲部と離間している側端周囲部とを有しており、該側端周囲部はそれぞれ離間しており、かつ、該側端周囲部は、基部壁の上面よりも低い位置にあるキー・パッド構造の上面端部領域に外接するとともに該領域に向かって下方に延在している、キー支持／ガイド構造と、
（ｄ）キー・キャップ・メンバのそれぞれをその下方に位置するキー支持／ガイド構造に移動可能に連結するための連結手段であって、キー・キャップ・メンバがキー・パッド構造の上面から上方に離間している状態の上方伸長位置と、キー支持／ガイド構造がキー・キャップ・メンバの内部の上方に収納される状態の下方縮小位置との間のキー・ストローク距離だけ、キー・キャップ・メンバが移動可能であり、下方縮小位置にあるときに、キー・キャップ・メンバの底部側端周囲部が、キー・パッド構造の上面に近接し、かつキー支持／ガイド構造の基部壁の上面よりも低い位置にあるようにした、連結手段と、
するようにした、連結手段と、
（ｅ）キー・キャップ・メンバの各々を上方伸長位置に弾性的に付勢させる付勢手段と
からなるキーボード装置と
を備えていることを特徴とするポータブル・コンピュータ。
【請求項１２】
請求項１１記載のポータブル・コンピュータにおいて、該コンピュータは、ノートブック型コンピュータであることを特徴とするポータブル・コンピュータ。
【請求項１３】
請求項１１記載のポータブル・コンピュータにおいて、
キー・パッド構造は、最上層と最下層とを有する多層構造で構成されており、
付勢手段は、キー・キャップ・メンバの下方に整列配置された弾性を有する相互に離間する複数のキー・リターン・メンバであって、キー・パッド構造の最上層から上方に突出するキー・リターン・メンバを備えている
ことを特徴とするポータブル・コンピュータ。
【請求項１４】
請求項１３記載のポータブル・コンピュータにおいて、
キー支持／ガイド構造は、中央部に開口を有しており、
キー・リターン・メンバは、該中央部の開口から上方に突出する弾性を有するドーム・メンバであることを特徴とするポータブル・コンピュータ。
【請求項１５】
請求項１１記載のポータブル・コンピュータにおいて、
連結手段は、キー・キャップ・メンバとキー支持／ガイド構造との間を動作可能に相互結合する、はさみ状に開閉する連結部材を含んでいる
ことを特徴とするポータブル・コンピュータ。
【請求項１６】
請求項１１記載のポータブル・コンピュータにおいて、
キー支持／ガイド構造は、該キー支持／ガイド構造とキー・パッド構造との上に相互動作可能に固定されたロッキング手段によって、キー・パッド構造の上に支持されている
ことを特徴とするポータブル・コンピュータ。
【請求項１７】
上面部分を有している基部ハウジング部と、
基部ハウジングに旋回可能に固定された蓋ハウジング部であって、蓋ハウジング部が基部ハウジング部の上面部分をカバーする位置である閉鎖位置と、蓋ハウジング部が該上面部分をカバーしない位置である開放位置との間で、旋回可能に支持されている蓋ハウジング部と、
基部ハウジング部の上面部分に沿って配置されたキーボード装置であって、
（ａ）上面及び底面を有するキー・パッド構造と、
（ｂ）キー・パッド構造の上面に相互に離間して位置する複数のキー・キャップ・メンバであって、キー・パッド構造の上面に面している底部側端周囲部と、該底部側端周囲部と境界を接しており、かつ上方に湾曲している内部部分とを有しているキー・キャップ・メンバと、
（ｃ）キー・パッド構造の上面に整列して支持されかつキー・キャップ・メンバの下方に配置された複数のキー支持／ガイド構造であって、各キー支持／ガイド構造は、上面と、キー・パッド構造の上面に平行な方向に、キー・キャップ・メンバの底部側端周囲部の内方に該底部側端周囲部と離間している側端周囲部とを有している、キー支持／ガイド構造と、
（ｄ）キー・キャップ・メンバのそれぞれをその下方に位置するキー支持／ガイド構造に移動可能に連結するための連結手段であって、キー・キャップ・メンバがキー・パッド構造の上面から上方に離間している状態の上方伸長位置と、キー支持／ガイド構造がキー・キャップ・メンバの内部の上方に収納される状態の下方縮小位置との間のキー・ストローク距離だけ、キー・キャップ・メンバが移動可能であり、下方縮小位置にあるときに、キー・キャップ・メンバの底部側端周囲部がキー・パッド構造の上面に近接するようにした、連結手段と、
（ｅ）キー・キャップ・メンバの各々を上方伸長位置に弾性的に付勢させる付勢手段と
からなるキーボード装置と
を備え、
キー支持／ガイド構造は、該キー支持／ガイド構造及びキー・パッド構造上に相互作用可能に連結されたロック手段によって、キー・パッド構造上に支持されており、
キー・パッド構造は、最上層と最下層とを有する多層構造に構成されており、かつ該最上層から最下層まで延在する、離間して配置された複数の孔を備えており、
ロック手段は、キー支持／ガイド構造に依存する、離間して配置された複数のポスト・メンバであって、キー・パッド構造の孔を介して下方に伸びており、かつ最下層の部分にロック状態で支持されるポスト・メンバを備えている
ことを特徴とするポータブル・コンピュータ。
【請求項１８】
請求項１７記載のポータブル・コンピュータにおいて、
キー・パッド構造の最下層は、上方に折り曲げられた複数のフランジ部分を有する金属製の基部プレート・メンバで構成されており、
ポスト・メンバは、該フランジ部分の対にスナップ結合される低部部分を有している
ことを特徴とするポータブル・コンピュータ。